(57)【要約】【課題】薬液注入装置に薬液を補充投入する際の作業性がよく、ポンプ、作業者に掛かることのない構造を備える薬液注入装置を提供する。【解決手段】上記課題を解決するために、薬液を系内に注入する、少なくとも薬液タンク、コントロールパネル、及びポンプからなる薬液注入装置において、前記薬液タンクが、上面に薬液投入口を備えるとともに下部に薬液を系内に送り出す前記ポンプと接続するタンク流出口を有するタンク本体と、前記薬液投入口を封ずるキャップとからなり、前記タンク本体上面に、薬液投入時に薬液容器の載置場所となる平面部分を有するプラットホームが設けられていることを特徴とする薬液注入装置の構成とした。【選択図】図３
2014140803.tif 000002
【特許請求の範囲】
【請求項１】
薬液を系内に注入する、少なくとも薬液タンク、コントロールパネル、及びポンプからなる薬液注入装置において、
前記薬液タンクが、上面に薬液投入口を備えるとともに下部に薬液を系内に送り出す前記ポンプと接続するタンク流出口を有するタンク本体と、前記薬液投入口を封ずるキャップとからなり、
前記タンク本体上面に、薬液投入時に薬液容器の載置場所となる平面部分を有するプラットホームが設けられていることを特徴とする薬液注入装置。
【請求項２】
前記コントロールパネルが、操作位置に対向する前記薬液タンクの正面側に配置され、
前記ポンプが、前記薬液タンクの正面側の下隅の窪んだスペースにカバーを備えず露出して配置され、
前記プラットホームには、薬液投入時に薬液容器の載置場所となる平面部分が前記薬液タンクの正面側に配置され、該平面部分の奥に前記薬液投入口が配置されていることを特徴とする請求項１に記載の薬液注入装置。
【請求項３】
前記プラットホームの薬液容器の載置場所となる平面部分の面積が、５０ｃｍ２以上５００ｃｍ２以下であることを特徴とする請求項１または請求項２に記載の薬液注入装置。
【請求項４】
前記プラットホームの薬液容器の載置場所となる平面部分が、プラットホーム面に対して凸状に突出していることを特徴とする請求項１〜請求項３の何れか１項に記載の薬液注入装置。
【請求項５】
前記タンク本体の上面が、堰によりプラットホームとポンプ上方の上面を含む部分とに区分されていることを特徴とする請求項１〜請求項４の何れか１項に記載の薬液注入装置。
【請求項６】
前記堰が、前記タンク本体の正面側から背面側の端まで連続して設けられており、中間部が高く両端側が低い弧状になっていることを特徴とする請求項５に記載の薬液注入装置。
【請求項７】
前記堰のプラットホーム面からの最大高さが、０．５ｃｍ以上３ｃｍ以下であることを特徴とする請求項５または請求項６に記載の薬液注入装置。
【請求項８】
前記タンク本体の上面の堰により区分されたポンプ上方の上面を含む部分に、前記堰にほぼ直交して堰から端まで凸部が連続して設けられており、前記凸部は堰側が高く端側が低い弧状になっていることを特徴とする請求項５〜請求項７の何れか１項に記載の薬液注入装置。
【請求項９】
前記プラットホームの薬液容器の載置場所となる平面部分の表面が、薬液容器の滑り防止のための凹凸構造を有していることを特徴とする請求項１〜請求項８の何れか１項に記載の薬液注入装置。
【請求項１０】
前記プラットホームが、コントロールパネル側が高く、薬液投入口側が低い水勾配を有することを特徴とする請求項１〜請求項９の何れか１項に記載の薬液注入装置。
【発明の詳細な説明】
【技術分野】
【０００１】
本発明は、例えば、開放循環冷却水系、ボイラー水系、各種機器内などの系内に、水処理薬剤などの薬液を注入する薬液注入装置に関し、更に詳しくは、薬液注入装置の薬液を貯溜する薬液タンクに薬液を補充投入する際の作業性がよく、投入する薬液をこぼしにくく、また薬液をこぼしても系内に薬液を送るポンプに掛かることのない構造を備える薬液注入装置に関する。
【背景技術】
【０００２】
開放循環冷却水系やボイラー水系における水処理においては、必要な水質を維持して系内の構成機器を各種障害から守るため、種々の薬液が系内に注入される。薬液を系内に注入するために、従来から専用の薬液注入装置が使用されている。
【０００３】
図５、図６に示すように、従来の薬液注入装置１１は、薬液タンク１４と、コントロールボックス４と、ポンプ５と、からなる。
【０００４】
薬液タンク１４は、タンク本体１３と、キャップ２からなる。タンク本体１３は、内部の空洞に薬液を貯溜する略円柱形状または略四角柱形状の合成樹脂製などの容器である。そして、タンク本体１３の上面には薬液投入口１３ａ、側面下部にはタンク流出口１３ｂ及びスペース１３ｅを備える。
【０００５】
薬液投入口１３ａは、外周にネジ１３ｆ構造を有し、コントロールボックス４側に偏ってタンク本体１３の上面に配置された、薬液を投入するための投入口である。タンク流出口１３ｂは、ポンプ５によって薬液が引き抜かれる流出口である（特許文献１参照）。スペース１３ｅは、タンク本体１３の側面下部がタンク本体１３の内部側に窪んだ部分で、ポンプ５を載置する場所となる。
【０００６】
キャップ２は、内側にネジ部２ａを備え、薬液投入口１３ａのネジ１３ｆと螺合し薬液投入口１３ａを封ずる。
【０００７】
コントロールボックス４は、操作や点検修理等の作業性を考慮して、作業者と対向する薬液タンク７の側面（正面）に備えられ、内部にポンプ５の駆動を制御するコントロールパネルが収納され、防水性で、開閉できる開閉扉４ｂを備える。従来の薬液注入装置１１は、コントロールボックス４を備える正面が作業者と対向するように設置される。
【０００８】
ポンプ５は、タンク本体１３のスペース１３ｅに設置され、タンク流出口１３ｂとホース５ｃを介して接続され、薬液を薬液タンク１４から吸引する薬液流入口５ａと薬液を吐出する薬液流出口５ｂを備え、前記コントロールパネルに配線（図示省略）され、コントロールパネルで駆動制御され、薬液を必要とする箇所である系内に送る。
【０００９】
薬液流出口５ｂには、ホース５ｄが接続され、ホース５ｄは薬液の注入を必要とする系内まで延設される。また、ポンプ５は、点検作業性等の観点から周囲にはカバーが取り付けられないで、露出した状態で設置されることが多い。
【００１０】
このようにしてなる従来の薬液注入装置１１では、正面から薬液を投入するため、なるべく薬液投入口１３ａは手前に位置されていることから、通常、薬液投入口１３ａとタンク本体１３の上面のコントロールボックス４側の端部とには、殆ど平坦なスペースがない。
【００１１】
したがって、従来の薬液注入装置１１に薬液を投入する際には、通常１０ｋｇから２０ｋｇの薬液が入った箱状の薬液容器２０を作業者が両手で抱え、少しずつ薬液容器を傾けながら投入していた。このような不安定な状態で投入作業を行なうため、従来の薬液注入装置１１に薬液を投入する際には、図６に示すように薬液がこぼれやすく、漏出薬液２０ｃが環境を汚染する。加えて、漏出薬液２０ｃがポンプ５に流れ落ちてポンプ５の故障の原因となる。また、作業者の衣服や足に掛かることも問題であった。
【００１２】
他方、作業者は、薬液を薬液タンク１４に投入する際に、重い薬液容器２０を固定し、投入作業を安定して行なうために、薬液容器２０をコントロールボックス４の上部４ａに置くことがある。そのため、コントロールボックス４が破損するといった問題もあった。
【先行技術文献】
【特許文献】
【００１３】
【特許文献１】実開平５−９３５８９号公報
【発明の概要】
【発明が解決しようとする課題】
【００１４】
そこで、本発明は、薬液注入装置に薬液を補充投入する際の作業性がよく、ポンプ、作業者等に薬液が掛かることのない構造を備える薬液注入装置を提供することを目的とするものである。
【課題を解決するための手段】
【００１５】
本発明は、上記の課題を解決するために、
（１）
薬液を系内に注入する、少なくとも薬液タンク、コントロールパネル、及びポンプからなる薬液注入装置において、
前記薬液タンクが、上面に薬液投入口を備えるとともに下部に薬液を系内に送り出す前記ポンプと接続するタンク流出口を有するタンク本体と、前記薬液投入口を封ずるキャップとからなり、
前記タンク本体上面に、薬液投入時に薬液容器の載置場所となる平面部分を有するプラットホームが設けられていることを特徴とする薬液注入装置の構成とした。
（２）
前記コントロールパネルが、操作位置に対向する前記薬液タンクの正面側に配置され、
前記ポンプが、前記薬液タンクの正面側の下隅の窪んだスペースにカバーを備えず露出して配置され、
前記プラットホームには、薬液投入時に薬液容器の載置場所となる平面部分が前記薬液タンクの正面側に配置され、該平面部分の奥に前記薬液投入口が配置されていることを特徴とする（１）に記載の薬液注入装置の構成とした。
（３）
前記プラットホームの薬液容器の載置場所となる平面部分の面積が、５０ｃｍ２以上５００ｃｍ２以下であることを特徴とする（１）または（２）に記載の薬液注入装置の構成とした。
（４）
前記プラットホームの薬液容器の載置場所となる平面部分が、プラットホーム面に対して凸状に突出していることを特徴とする（１）〜（３）の何れかに記載の薬液注入装置の構成とした。
（５）
前記タンク本体の上面が、堰によりプラットホームとポンプ上方の上面を含む部分とに区分されていることを特徴とする（１）〜（４）の何れかに記載の薬液注入装置の構成とした。
（６）
前記堰が、前記タンク本体の正面側から背面側の端まで連続して設けられており、中間部が高く両端側が低い弧状になっていることを特徴とする（５）に記載の薬液注入装置の構成とした。
（７）
前記堰のプラットホーム面からの最大高さが、０．５ｃｍ以上３ｃｍ以下であることを特徴とする（５）または（６）に記載の薬液注入装置の構成とした。
（８）
前記タンク本体の上面の堰により区分されたポンプ上方の上面を含む部分に、前記堰にほぼ直交して堰から端まで凸部が連続して設けられており、前記凸部は堰側が高く端側が低い弧状になっていることを特徴とする（５）〜（７）の何れかに記載の薬液注入装置の構成とした。
（９）
前記プラットホームの薬液容器の載置場所となる平面部分の表面が、薬液容器の滑り防止のための凹凸構造を有していることを特徴とする（１）〜（８）の何れかに記載の薬液注入装置の構成とした。
（１０）
前記プラットホームが、コントロールパネル側が高く、薬液投入口側が低い水勾配を有することを特徴とする（１）〜（９）の何れかに記載の薬液注入装置の構成とした。
【発明の効果】
【００１６】
本発明の薬液注入装置は、薬液タンクのタンク本体の上面に、薬液の投入時に薬液容器の載置場所となる平面部分を有するプラットホームを備えるため、該平面部分に薬液容器を載置して薬液を薬液タンクに投入することができるので、重量物である薬液容器を作業者が持ち続けることがなくなり、従来と比較して薬液投入時の作業性が格段に向上する。そのため、薬液投入時に薬液がこぼれにくく、こぼれた漏出薬液が薬液注入装置の設置環境を汚染することが少なくなる。また、薬液容器は薬液載置場所に置かれ、コントロールボックスの上部に重い薬液容器を置くことがなくなるので、コントロールボックスの破損もなくなる。
【００１７】
加えて、薬液タンクのタンク本体の上面は、堰によりプラットホームとポンプ上方の上面を含む部分とに区分されているので、万一薬液がこぼれた場合でも、漏出薬液がポンプ側に流れ出す危険性は小さい。さらに、プラットホームは薬液タンク正面側が高く、背面側が低い水勾配を有するので、漏出薬液が薬液タンク正面側に流れ出す可能性は極めて低く、薬液が掛かることによるポンプの故障や、こぼした薬液が作業員の衣服や足に掛かることが少なくなる。
【図面の簡単な説明】
【００１８】
【図１】本発明である薬液注入装置の見取り図である。
【図２】図１の平板状凸部のＡ−Ａ断面図である。
【図３】本発明である薬液注入装置の使用時の説明図である。
【図４】図２に対応する位置の水勾配を備えるプラットホームの断面図である。
【図５】従来の薬液注入装置の見取り図である。
【図６】従来の薬液注入装置の使用時の説明図である。
【発明を実施するための形態】
【００１９】
以下、図面に基づき、本発明の薬液注入装置について詳細に説明する。なお、本発明は下記実施例に限定されるものではない。
【実施例】
【００２０】
図１から図３に示すように、本発明で薬液注入装置１は、薬液を系内に注入する、少なくとも薬液タンク７と、コントロールボックス４と、ポンプ５と、からなる。  
【００２１】
本発明で使用する薬液は、殺菌・殺藻剤、スケール防止剤、防食剤などの水処理薬剤のみならず、液体であれば、特に制限されずに使用することができる。系内とは、開放循環冷却水系、ボイラー水系、各種機器内などであり、薬液の注入が必要とされる場所である。
【００２２】
コントロールボックス４は、従来の薬液注入装置１１に使用されているものと同じコントロールボックス４が使用できる。即ち、操作や点検修理等の作業性を考慮して、作業者と対向する薬液タンク７の側面（正面）に備えられ、内部にポンプ５の駆動を制御するコントロールパネルが収納され、防水性で、開閉できる開閉扉４ｂを備える。薬液注入装置１は、コントロールボックス４を備える正面が作業者と対向するように設置される。
【００２３】
ポンプ５は、従来の薬液注入装置１１に使用されているものと同じものが使用できる。即ち、タンク本体３のスペース３ｅに設置され、タンク流出口７ａとホース５ｃを介して接続されて薬液を薬液タンク７から吸引する薬液流入口５ａと薬液を吐出する薬液流出口５ｂを備え、前記コントロールパネルに配線（図示省略）され、コントロールパネルでの駆動制御により薬液が必要箇所である系内に送られる。
【００２４】
薬液流出口５ｂには、ホース５ｄが接続され、薬液の注入を必要とする系内までホース５ｄは延設される。また、ポンプ５は、点検作業性等の観点から周囲にはカバーが取り付けられないで、露出した状態で設置される。
【００２５】
薬液タンク７は、内部の空洞に薬液を貯溜する略円柱形状または略四角柱形状の合成樹脂製などの容器であるタンク本体３と、キャップ２とからなる。
【００２６】
キャップ２は、内側にネジ部２ａを備え後述の薬液投入口３ａのネジ３ｆと螺合し、薬液投入口３ａを封ずる。
【００２７】
タンク本体３は、上面に、薬液投入口３ａと平板状凸部３ｃとを有するプラットホーム３ｂ、堰６、凸部６ａを備える。タンク本体３の正面側の側面下部には、薬液がポンプ５によってタンク本体３から引き抜かれるタンク流出口７ａ、ポンプ５が載置されるようにタンク本体３を内側に窪ませたスペース３ｅを備える。タンク本体３の素材は、特に限定されるものではないが、合成樹脂が安価であり、成型しやすいので好適である。
【００２８】
プラットホーム３ｂには、薬液タンク７の正面側（コントロールボックスの付いている側）に、平板状凸部３ｃが配置され、平板状凸部３ｃの奥に、外周にネジ３ｆ構造を有する薬液投入口３ａが配置されている。
【００２９】
平板状凸部３ｃは、図３に示すように、薬液投入時に薬液容器２０の載置場所となる平面部分に相当し、図２に示すように、プラットホーム面に対して凸状に突出した構造で、薬液容器２０の荷重に対して薬液タンク７が変形しないように強度を保つという機能を有する。  
【００３０】
ここで、プラットホーム３ｂの荷重に対する強度が充分にあり、凸部構造を採らなくても薬液タンク７に変形の恐れがない場合には、プラットホーム３ｂに平板状凸部３ｃを備えなくてもよい。その場合、プラットホーム３ｂの正面側端部から薬液投入口３ａの端部までの平面部分が薬液容器２０の載置場所となる。
【００３１】
薬液投入時に薬液容器２０の載置場所となる平面部分の面積（プラットホーム３ｂに平板状凸部３ｃを備える場合には平板状凸部３ｃの上部面積）は、使用する薬液容器２０の大きさにも依るが、１０ｋｇから２０ｋｇの薬液が入った箱状の一般的な薬液容器２０が補助的に置ける程度の面積があればよい。具体的には５０ｃｍ２以上５００ｃｍ２以下であることが望ましく、１００ｃｍ２以上がより望ましい。５００ｃｍ２以下の面積では、一辺約３０ｃｍ立方の大きさがある２０ｋｇの薬液容器を、作業者が手を離した状態で完全に置くことはできないが、作業者が手を添えた補助的な状態であっても、薬液容器２０の荷重の大部分を平面部分で受けることができるので、薬液投入時の作業性は格段に向上する。逆に、平面部分として５００ｃｍ２を超える面積を確保すると、薬液タンク７に薬液を投入するための薬液投入口３ａが作業者側から離れた薬液タンク７の背面側に寄ってしまうため、返って作業性が低下し、薬液漏出の原因になる。従って、薬液投入口３ａの位置は、薬液容器２０の載置場所となる平面部分の面積を確保した上で、できる限りプラットホーム３ｂ上の正面側に近い位置とするのが好ましい。
【００３２】
堰６は、タンク本体３の上面を、プラットホーム３ｂ側とポンプ５上方の上面を含む部分とに区分する凸状体である。堰６は、タンク本体３の正面側から背面側の端まで連続して設けられ、中間部が高く両端側が低い弧状になっている。そして、堰６は、あまり高くなると投入作業の際に邪魔になり、低すぎると堰としての機能を果たさなくなるので、プラットホーム３ｂ面からの最大高さが、０．５ｃｍ以上３ｃｍ以下であることが望ましい。
【００３３】
堰６をタンク本体３の上面に設けることで、薬液がプラットホーム３ｂにこぼれた場合でも、堰６によりポンプ５の上方のタンク本体３上面への薬液の流出が止められ、薬液がポンプ５に流れ落ちることを防止することができる。さらに、タンク本体３のポンプ５が設置されている側の上部の縁部にも堰を設けると、こぼれた薬液がタンク本体３の壁を伝って落下することが防げるので一層好ましい。
【００３４】
また、堰６を設けることで、タンク本体３の上面の強度を高めることができる。堰６を弧状とすることで、タンク本体３の上面の強度を一層高められ、薬液容器２０の載置に対する補強とすることができる。
【００３５】
凸部６ａは、タンク本体３の上面の堰６により区分されたポンプ５上方の上面を含む部分に、堰６にほぼ直交して堰６からタンク本体３の上面の端まで、連続して設けられる。そして、凸部６ａは堰６側が高く端側が低い弧状になっている。
【００３６】
凸部６ａをタンク本体３上面に設け、さらに弧状とすることで、タンク本体上面の強度が一層増すとともに、プラットホーム３ｂ側でない上面に、平坦部３ｉ、３ｋを残すことができる。平坦部３ｉ、３ｋは、平坦であるので、図３に示すように、薬液の投入作業時に、キャップ２、薬液容器２０の栓２０ａなどを置いても転がり落ちることがなく、それらの置き場所として利用できる。
【００３７】
なお、プラットホーム３ｂの薬液容器２０の載置場所となる平面部分（プラットホーム３ｂに平板状凸部３ｃを備える場合には平板状凸部３ｃの上部面）の表面が、図４に示すように、薬液容器の滑り防止のための凹凸構造３ｄを有していると、雨水等でプラットホーム３ｂの表面が濡れているときでも薬液容器２０が滑りにくく、薬液投入時の作業性がさらに向上する。
【００３８】
凹凸構造３ｄは、例えば、凹部が連続的に繋がった溝８と、凸部が溝８に挟まれた島８ａの構造が例示できる。また、溝８の幅は０．５ｍｍから３ｍｍ、溝８の深さは０．５ｍｍから３ｍｍ、島８ａの面積は２０ｍｍ２から５００ｍｍ２が好ましく、溝８の幅が２ｍｍ、深さが２ｍｍ、島８ａの面積が１００ｍｍ２の凹凸構造３ｄが例示されるが、表面が滑らかでなく、薬液容器２０の滑りを防止できる構造であれば、これに限定されるものではない。
【００３９】
さらに、図４に示すように、プラットホーム３ｂは全体として、コントロールボックス４が設けられポンプ５が設置されている正面側が高く（高さＨ）、薬液投入口が設けられている背面側が低い（高さｈ）水勾配３ｈを有していると、薬液がプラットホーム３ｂにこぼれた場合でも背面側に流れ、ポンプ５が設置され、作業者が作業する正面側に流れにくくなるのでより好ましい薬液注入装置１となる。
【００４０】
このようにしてなる薬液注入装置１では、薬液タンク７の正面側の側面にコントロールボックス４が固定され、薬液タンク７の正面側下部のスペース３ｅにポンプ５が載置され、コントロールボックス４を備える正面側が作業者と対向するように設置される。
【００４１】
そして、コントロールボックス４、ポンプ５が、薬液タンク７の正面側に位置するため、コントロールパネルの操作性、ポンプ等のメンテナンス性がよい。また、図３に示すように、タンク本体３の上面のプラットホーム３ｂの正面側には薬液容器２０の載置場所となる平板状凸部３ｃが設けられ、平板状凸部３ｃの奥の薬液タンク７の正面側に近い位置に薬液投入口３ａが設けられているため、薬液投入時の作業性が極めてよい。
【００４２】
薬液をタンク本体３に投入する際には、平板状凸部３ｃに、一旦薬液容器２０を載置して、キャップ２、栓２０ａの開閉作業を行うことができ、投入時には薬液容器２０の底部の端部を平板状凸部３ｃに接地したまま薬液容器２０の注ぎ口２０ｂを薬液投入口３ａに傾けることで、薬液容器２０の重さが軽減され、タンク本体３に容易に薬液を投入することができる。
【００４３】
従って、本発明である薬液注入装置１では、従来のように、薬液容器２０をコントロールボックス４に載せることがないので、コントロールボックス４の破損が防止され、薬液をタンク本体３に投入している間中、薬液容器２０を持ち続ける必要がないので、重労働が軽減され、薬液の投入作業が極め容易になる。
【符号の説明】
【００４４】
１      薬液注入装置
２      キャップ
２ａ    ネジ部
３      タンク本体
３ａ    薬液投入口
３ｂ    プラットホーム
３ｃ    平板状凸部
３ｄ    凹凸構造
３ｅ    スペース
３ｆ    ネジ
３ｈ    水勾配
３ｉ    平坦部
３ｋ    平坦部
４      コントロールボックス
４ａ    上部
４ｂ    開閉扉
５      ポンプ
５ａ    薬液流入口
５ｂ    薬液流出口
５ｃ    ホース
５ｄ    ホース
６      堰
６ａ    凸部
７      薬液タンク
７ａ    タンク流出口
８      溝
８ａ    島
Ｈ      高さ
ｈ      高さ
１１    従来の薬液注入装置
１３    タンク本体
１３ａ  薬液投入口
１３ｂ  タンク流出口
１３ｅ  スペース
１３ｆ  ネジ
１４    薬液タンク
２０    薬液容器
２０ａ  栓
２０ｂ  注ぎ口
２０ｃ  漏出薬液
【図１】
2014140803.tif 000003
【図２】
2014140803.tif 000004
【図３】
2014140803.tif 000005
【図４】
2014140803.tif 000006
【図５】
2014140803.tif 000007
【図６】
2014140803.tif 000008